(57)【特許請求の範囲】
【請求項１】
乗客コンベアに異常が検出されたときに動作し、前記異常が取り除かれた場合に自動的に復帰する複数の安全装置と、
前記乗客コンベアを起動するためにキーが差し込まれると、キー信号を出力するキースイッチと、
前記複数の安全装置の中の一つの安全装置が動作すると前記乗客コンベアを停止させ、動作した前記安全装置に対応した識別情報に関する関連情報を記憶部に記憶し、前記停止後に前記キー信号が入力した場合に前記識別情報を含む放送信号を出力する制御装置と、
前記放送信号が入力すると、前記放送信号に含まれる前記識別情報に関する放送情報を放送する放送装置と、
を有し、
前記放送装置は、
前記識別情報に対応した前記安全装置の名称メッセージと取り付け部位とが放送記憶部にそれぞれ記憶され、
前記制御装置から前記放送信号が入力すると、前記放送信号に含まれる前記識別情報に対応した前記名称メッセージと前記取り付け部位とを前記放送記憶部からそれぞれ呼び出し、呼び出した前記名称メッセージと前記取り付け部位とを前記放送情報として放送する、
ことを特徴とする乗客コンベア。
【請求項２】
前記キースイッチは、前記キーを回転可能な位置まで差し込むと、前記キーによって動作するキー検出スイッチを有し、
前記キー検出スイッチが動作すると前記キー信号を出力する、
ことを特徴とする請求項１に記載の乗客コンベア。
【請求項３】
前記キー検出スイッチが、マイクロスイッチ、又は、近接スイッチである、
ことを特徴とする請求項２に記載の乗客コンベア。
【請求項４】
前記放送装置は、前記キー信号が出力された前記キースイッチの近傍に設けられたスピーカからのみ前記放送情報を放送する、
ことを特徴とする請求項１乃至３のいずれか一項に記載の乗客コンベア。
【請求項５】
前記放送装置は、前記キー信号が出力された後、前記乗客コンベアが起動するまで、前記放送情報を繰り返し放送する、
ことを特徴とする請求項１乃至４のいずれか一項に記載の乗客コンベア。
【請求項６】
前記制御装置は、前記乗客コンベアが起動すると前記関連情報を消去する、
ことを特徴とする請求項１乃至５のいずれか一項に記載の乗客コンベア。
【請求項７】
前記安全装置が、非常停止ボタン、インレット安全装置、スカートガード安全装置、又は、踏段異常検出装置である、
ことを特徴とする請求項１乃至６のいずれか一項に記載の乗客コンベア。
【発明の詳細な説明】
【技術分野】
【０００１】
本発明の実施形態は、乗客コンベアに関するものである。
【背景技術】
【０００２】
従来、乗客コンベアの安全回路には複数の安全装置が設けられ、こらら安全装置はリミットスイッチを有し、これらリミットスイッチの接点が直列に接続されて安全回路を構成している。そして、何れかの安全装置が動作した場合には、その安全装置のリミットスイッチが開路状態（ＯＦＦ状態）になり、乗客コンベアは停止する。
【０００３】
ところで、インレット安全装置やスカートガード安全装置などは、動作した後に管理者が介在することなく異物が取り除かれてしまうと、リミットスイッチは元の状態に戻り、安全回路が開路状態（ＯＦＦ状態）から閉路状態（ＯＮ状態）に自動的に復帰してしまう。
【０００４】
したがって、乗客コンベアは停止するが、停止した原因を管理者が調査しようとしても、安全回路が元に戻ってしまっているため、その原因を特定することができなかった。そのため、特許文献１や特許文献２においては、動作した安全装置を表示する表示装置が設けられている。
【先行技術文献】
【特許文献】
【０００５】
【特許文献１】特開２００６−１７６２８４号公報
【特許文献２】特開２００９−１３７７４６号公報
【発明の概要】
【発明が解決しようとする課題】
【０００６】
しかし、特許文献１の方法においては、表示内容が数字で表示されるため、数字に対応した安全装置を、管理者が取扱説明書などから確認する必要があるという問題点があった。
【０００７】
また、特許文献２の方法においては、タッチパネルを操作して故障履歴画面を表示させる必要があり、作業に手数がかかるという問題点があった。
【０００８】
そこで、本発明は、上記問題点に鑑み、安全装置が自動的に復帰した場合であっても、管理者が容易にその動作した安全装置を特定できる乗客コンベアを提供する。
【課題を解決するための手段】
【０００９】
本発明の実施形態は、乗客コンベアに異常が検出されたときに動作し、前記異常が取り除かれた場合に自動的に復帰する複数の安全装置と、前記乗客コンベアを起動するためにキーが差し込まれると、キー信号を出力するキースイッチと、前記複数の安全装置の中の一つの安全装置が動作すると前記乗客コンベアを停止させ、動作した前記安全装置に対応した識別情報に関する関連情報を記憶部に記憶し、前記停止後に前記キー信号が入力した場合に前記識別情報を含む放送信号を出力する制御装置と、前記放送信号が入力すると、前記放送信号に含まれる前記識別情報に関する放送情報を放送する放送装置と、を有し、前記放送装置は、前記識別情報に対応した前記安全装置の名称メッセージと取り付け部位とが放送記憶部にそれぞれ記憶され、前記制御装置から前記放送信号が入力すると、前記放送信号に含まれる前記識別情報に対応した前記名称メッセージと前記取り付け部位とを前記放送記憶部からそれぞれ呼び出し、呼び出した前記名称メッセージと前記取り付け部位とを前記放送情報として放送する、ことを特徴とする乗客コンベアである。
【図面の簡単な説明】
【００１０】
【図１】本発明の実施例１のエスカレータの全体構成を示す模式図である。
【図２】同じく操作盤の正面図である。
【図３】図２におけるＡ−Ａ線方向から見た矢視平面図であって、キーを差し込んだ状態の図である。
【図４】同じくエスカレータのブロック図である。
【図５】実施例２のエスカレータのブロック図である。
【発明を実施するための形態】
【００１１】
以下、本発明の一実施形態の乗客コンベアについて図面に基づいて説明する。なお、本実施形態では乗客コンベアとして、エスカレータを用いて説明する。
【実施例１】
【００１２】
本発明の実施例１のエスカレータについて図１〜図４に基づいて説明する。
【００１３】
（１）エスカレータの構造
図１に示すように、エスカレータのトラス（主枠）２が、上階１ａと下階１ｂにまたがって支持金具２ａ，２ｂを介して建屋に設けられている。このトラス２の長手方向一端部の上階機械室内に駆動装置３が設けられている。駆動装置３は、電動機４、図では表記していない伝達機構を有し、電動機４には、減速機構６を介して動力駆動チェーン７が連結され、この駆動チェーン７により駆動スプロケット８が駆動する。
【００１４】
トラス２の長手方向他端部の下階機械室内には、従動スプロケット９が設けられ、前記駆動スプロケット８と従動スプロケット９とに無端状の踏段チェーン１０が巻き掛けられており、この踏段チェーン１０に多数の踏段１１が等間隔で連結されている。
【００１５】
踏段１１は、その前後に前輪及び後輪が取り付けられており、これらの前輪及び後輪が、トラス２内に設けられた往路ガイドレール、帰路ガイドレール及び反転ガイドレールからなるガイドレールを転動することにより、多数の踏段１１は踏段チェーン１０の移動に連動して循環走行する。
【００１６】
踏段１１が反転する位置の近傍は、乗客の乗降口となり、乗降口のトラス２上には、乗降板１２ａ，１２ｂが設けられている。トラス２の幅方向両側には、欄干１３が立設されている。この欄干１３の上部には、踏段１１と同期して走行する手すりベルト１４が設けられている。手すりベルト１４及び踏段１１は、上階機械室に設置された制御装置１５により駆動制御される。また、上階機械室には放送装置１６も収納されている。
【００１７】
欄干１３の上下乗降口付近の下方には、エスカレータの上昇／下降運転、停止、ブザーによる警報を行うキースイッチ２２，２３を有した操作盤２０ａ，２０ｂがそれぞれ設けられ、その近傍にはスピーカ１９ａ，１９ｂが設けられている。スピーカ１９ａ，１９ｂは、電気的に放送装置１６と接続されており、放送装置１６からの出力によりスピーカ１９ａ，１９ｂから音声が出力される。
【００１８】
また図１には図示はしないが、エスカレータには、乗客の安全を確保するために、操作盤２０ａ．２０ｂに設けられた非常停止ボタン２１、インレット安全装置、スカートガード安全装置、踏段異常検出装置などの各種の安全装置が設けられている。インレット安全装置は、手すりベルト１４がエスカレータ本体に入り込むインレット部に異物が浸入したことを検出する安全装置であり、スカートガード安全装置は、スカートガードと踏段１１との隙間に異物がが挟まったことを検出する安全装置であり、踏段異常検出装置は、踏段１１における異常を検出する安全装置である。
【００１９】
（２）操作盤２０ａ，２０ｂの構成
次に、図２に基づいて、操作盤２０ａ，２０ｂの構成について図２と図３に基づいて説明する。図２は、操作盤２０ａ，２０ｂの正面図であり、図３は、図２のＡ−Ａ線断面図であって、かつ、キースイッチ２３にキー２４を差し込んだ図である。
【００２０】
図２に示すように、上階の操作盤２０ａには、エスカレータの運転を停止させるための非常停止ボタン２１、キースイッチ２２、キースイッチ２３とが設けられている。
【００２１】
キースイッチ２２は、エスカレータの運転方向を選択するスイッチであって、キースイッチ２２にキー２４を差し込んで左側に回転すると上昇方向に運転し、右側に回転すると下降方向に運転する。すなわち、このキースイッチ２２は、エスカレータの起動スイッチも兼ねている。
【００２２】
キースイッチ２３は、エスカレータの運転前に周囲に注意を喚起するブザー鳴動機能と、運転中のエスカレータを停止させる機能を有している。具体的には、キースイッチ２３にキー２４を差し込んで、左側に回転させると運転中のエスカレータが停止し、右側に回転させるとエスカレータの運転前にブザーが鳴動する。
【００２３】
図３に示すように、キースイッチ２３の内部には、マイクロスイッチ２５ａが内蔵され、キー２４を回転可能な位置であるキースイッチ２３の奥まで差し込むと、マイクロスイッチ２５ａのヒンジ部分が動作し、マイクロスイッチ２５ａの接点が閉路状態となる。
【００２４】
下階の操作盤２０ｂも同様の構成を有する。
【００２５】
（３）エスカレータの電気的構成
次に、エスカレータの電気的構成について図４に基づいて説明する。
【００２６】
各種の安全装置に設けられているリミットスイッチの内、安全装置が動作しても、動作後にその動作に至った異常の原因が取り除かれると、管理者を介することなく、接点が復帰する安全装置を以下では、「自動復帰型安全装置」という。自動復帰型安全装置としては、例えば、非常停止ボタン２１，２１のリミットスイッチ（の各接点２６ａ，２６ｂ）、インレット安全装置のリミットスイッチ（の各接点２６ｃ，２６ｄ，２６ｅ，２６ｆ）、スカートガード安全装置のリミットスイッチ（の各接点２６ｇ，２６ｈ，２６ｉ，２６ｊ）、踏段異常検出安全装置のリミットスイッチ（の各接点２６ｋ，２６ｍ，２６ｎ，２６ｑ）である。
【００２７】
図４に示すように、自動復帰型安全装置の各接点２６ａ〜２６ｑは、直列に接続され、各リミットスイッチから制御装置１５に開閉を示す信号が入力される。また、キースイッチ２３，２３に設けられているマイクロスイッチ２５ａ，２５ｂが並列に接続され、その入力信号であるキー信号が、制御装置１５に入力される。さらに、制御装置１５には、放送装置１６が接続され、放送装置１６には、スピーカ１９ａ，１９ｂが接続されている。
【００２８】
制御装置１５の記憶部には、各リミットスイッチの接点２６ａ〜２６ｑに対応したチャンネルが記憶されている。例えば、上階にある非常停止ボタン２１のリミットスイッチに接点２６ａには、取り付け部位を示す１チャンネルと名称メッセージを示す５チャンネルが対応して記憶され、下階の非常停止ボタン２１のリミットスイッチに接点２６ｂには取り付け部位を示す２チャンネルと名称メッセージを示す５チャンネルが対応して記憶されている。制御装置１５は、安全装置が動作した場合には、その動作した安全装置に対応したチャンネル番号を放送信号として放送装置１６に出力する。詳しくは後から説明する。
【００２９】
放送装置１６の放送記憶部には、図４に示すように、各チャンネルに対応したメッセージが格納され、例えば、放送記憶部の１チャンネルには取り付け部位である「上階」、２チャンネルには取り付け部位である「下階」、５チャンネルには名称メッセージである「非常停止ボタンが動作しました。」がそれぞれ記憶されている。
【００３０】
放送装置１６は、チャンネル番号を含む放送信号が入力すると、各チャンネルに対応した取り付け部位と名称メッセージを出力する。放送装置１６は、同時に異なるチャンネル番号が制御装置１５から入力された場合は、番号が若いチャンネルから順番に出力する。また、その場合、次のチャンネルを放送するタイミングは、前のチャンネルの放送が終了した後になるように制御する。放送装置１６は、この制御により、例えば、１チャンネル、３チャンネル、７チャンネルのチャンネル番号を含む放送信号が同時に入力した場合は、「上階」、「右側」、「スカートガードスイッチが動作しました。」という順序で放送する。
【００３１】
（４）制御装置１５の動作
次に、制御装置１５の動作状態について説明する。
【００３２】
一つの安全装置が動作した場合には、そのリミットスイッチの接点が開状態となり、それ以降の回路に給電されなくなる。したがって、安全装置のリミットスイッチよりも回路上後ろ側に設けられている上昇運転コンタクタや下降運転コンタクタが消勢されて、併せて電磁ブレーキコイルへの給電も停止されるため、エスカレータの上昇運転又は下降運転が停止する。
【００３３】
例として、エスカレータの上階右側にあるインレット安全装置が動作した場合について説明する。
【００３４】
上階右側インレット安全装置のリミットスイッチの接点２６ｃが開状態となるため、それ以降に給電されなくなり、制御装置１５への入力信号も無くなる。しかし、それ以前の回路には給電されているため、制御装置１５には信号２７が入力される。
【００３５】
制御装置１５は、エスカレータの上昇運転信号と下降運転信号のどちらかが消勢された瞬間の安全装置の入力信号を関連情報として記憶する。この場合、信号２７までの入力信号が入力され、信号２７を関連情報として記憶部に記憶する。
【００３６】
エスカレータが停止したため、エスカレータの管理者は、エスカレータが運転できるか否かを確認するために再起動を行う必要がある。そのため、管理者は、再起動するために操作盤１９ａ又は操作盤１９ｂを操作する。ここでは、管理者は上階側の操作盤１９ａを操作するものとする。通常の運転手順として、管理者は、運転開始の合図のためにブザーを鳴動させる必要がある。そのため、管理者はキースイッチ２３にキー２４を差し込む。キースイッチ２３にキー２４が差し込まれると、マイクロスイッチの接点２５ａが閉状態となる。そのため、制御装置１５は、マイクロスイッチの接点２５ａからのキー信号を認識する。
【００３７】
制御装置１５は、キー信号をトリガーとして、記憶部に記憶した関連情報（すなわち、信号２７である）から、信号２７に対応した安全装置の次の入力に対応した安全装置が動作したものと判断する。今回の場合は、制御装置１５は、信号２７を記憶していたため、その次の安全装置である上階右側インレット安全装置２６ｃが動作したと判断する。その判断結果により、制御装置１５は、上階右側インレット安全装置を意味する識別情報（すなわち、チャンネル番号である）を含む放送信号を放送装置１６に出力する。この場合、制御装置１５は、放送装置１６に対して１チャンネルと３チャンネルと６チャンネルの出力を行うような識別情報を放送信号に含めて出力する。
【００３８】
放送装置１６は、制御装置１５から識別情報（チャンネル番号）を含む放送信号が入力すると、１チャンネルから順番に、１チャンネル、３チャンネル、６チャンネルに格納されたメッセージを放送記憶部から呼び出し、スピーカ１９ａ，１９ｂから出力する。スピーカ１９ａ，１９ｂからは、「上階右側インレットスイッチが動作しました」と放送される。
【００３９】
制御装置１５は放送装置１６に対し再起動するまで終了信号を出力せず、再起動が行われた場合には終了信号を出力し、放送装置１６はその放送を終了する。すなわち、この放送はエスカレータを再起動するまで繰り返し放送される。
【００４０】
エスカレータが再起動すると、放送装置１６の放送が終了し、制御装置１５の記憶部に記憶していた上昇運転信号と下降運転信号のどちらかが消勢された瞬間の安全装置の入力信号２７を消去する。エスカレータが再起動されたか否かは、キースイッチ２２にキー２４が差し込まれ、上昇又は下降するように、管理者が操作を行った場合に、制御装置１５がそれを認識する。
【００４１】
（５）効果
本実施例によれば、管理者は、キー２４をキースイッチ２３に差し込むだけで、自動復帰型安全装置が自動的に復帰した場合であっても、管理者が容易にその動作した安全装置を特定できる。
【実施例２】
【００４２】
次に、本発明の実施例２のエスカレータについて図５に基づいて説明する。
【００４３】
実施例１では、上下２か所のスピーカ１９ａ，１９ｂより、動作した安全装置の位置及び名称の音声放送を行ったが、本実施例では、キースイッチ２３による操作が行われた側のスピーカのみ音声放送を行うようにする。
【００４４】
図５に示すように、本実施例では、キースイッチ２３に設けたマイクロスイッチ２５ａ，２５ｂとリレー２７ａ，２７ｂをそれぞれ接続し、そのリレー２７ａ，２７ｂの接点の内、第１の接点２８ａ１，２８ｂ１からのキー信号が制御装置１５に入力され、第２の接点２８ａ２，２８ｂ２を放送装置１６とスピーカ１９ａ，１９ｂとの間に接続している。
【００４５】
これにより、キー２４を差し込んだ操作盤の近傍のスピーカからのみ放送することができる。
【００４６】
本実施例によれば、キー２４で操作している管理者のみに、動作した安全装置を放送することができ、他方の操作盤の近傍、すなわち他方の乗り込み口付近にいる乗客に不安を与えることがない。
【変更例】
【００４７】
上記実施例では、キースイッチ２３にマイクロスイッチ２５が設けられていたが、これに代えて、キー２４が鉄などの磁性体で形成されている場合には、近接センサを用いてもよい。
【００４８】
また、上記各実施例では、乗客コンベアとしてエスカレータで説明したが、これに代えて動く歩道でも本実施例を同様に適用することができる。
【００４９】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１５・・・制御装置、１６・・・放送装置、１９・・・スピーカ、２３・・・キースイッチ、２４・・・キー、２５・・・マイクロスイッチ、２６・・・安全装置のリミットスイッチ
【図１】
0005730069.tif 000002
【図２】
0005730069.tif 000003
【図３】
0005730069.tif 000004
【図４】
0005730069.tif 000005
【図５】
0005730069.tif 000006